(57)【要約】      （修正有）【課題】石鹸などを入れるポケットを設けたポケット付タオルに関する。従来のタオルは小さくなった石鹸を最後まで使用できなかった。小さくなった石鹸を最後まで使用できるポケット付タオルを提供する。【解決手段】タオルの一部に、一端に開口部を有するポケット部が設けられ、前記開口部が面ファスナーにより開閉自在に構成されてなることを特徴とするポケット付タオル。【選択図】図１
0003144542.tif 000002
【実用新案登録請求の範囲】
【請求項１】
タオルの一部に、一端に開口部を有するポケット部が設けられ、
前記開口部が面ファスナーにより開閉自在に構成されてなることを特徴とするポケット付タオル。
【請求項２】
前記ポケットがタオルの中央部に設けられてなる請求項１記載のポケット付タオル。
【請求項３】
前記ポケットのタオルに対する面積が、５〜２０％であることを特徴とする請求項１または２記載のポケット付タオル。
【考案の詳細な説明】
【技術分野】
【０００１】
本考案はポケット付タオルに関する。さらに詳しくは、本考案はタオルの一部に、一端に開口部を有するポケット部が設けられ、前記開口部がマジックテープ（登録商標）などの面ファスナーにより開閉自在に構成されてなることを特徴とするポケット付タオルに関する。
【背景技術】
【０００２】
浴用石鹸として、従来、固形の石鹸が使用されているが、使用するにつれて、徐々に小さくなる。使い勝手が悪くなると感じる大きさは個人差があるが、使い勝手が悪くなると、石鹸屑として廃棄処分される。
【０００３】
資源保護の観点から、すり減った石鹸を大きくして再利用する器具が提案されている（特許文献１参照）。しかし、すり減った石鹸を再利用するために、装置を新たに必要とすることには、消費者、とりわけアパート、マンション等の収納スペースが小さい住居に住んでいる主婦には抵抗感がある。
【０００４】
【特許文献１】実開平５−９３３８３号公報
【考案の開示】
【考案が解決しようとする課題】
【０００５】
そこで、本考案は、すり減った石鹸を大きくするのではなく、すり減って小さくなったそのままの状態で石鹸を最後まで使い切るための改良されたタオルを提供することを目的とするものである。
【課題を解決するための手段】
【０００６】
上記問題を解決するために、本考案におけるポケット付タオルは、タオルの一部に、一端に開口部を有するポケット部が設けられ、前記開口部が面ファスナーにより開閉自在に構成されてなることを特徴とする。
【０００７】
前記ポケットがタオルの中央部に設けられてなることが好ましい。
【０００８】
前記ポケットのタオルに対する面積が、５〜２０％であることが好ましい。
【考案の効果】
【０００９】
本考案によれば、ポケット付タオルのポケットに小さくなった石鹸を入れることで、ポケット付タオルと小さくなった１または複数個の石鹸をお湯に浸しもみほぐすことにより泡立たせることができ、小さくなった石鹸を最後まで使い切ることができる。また、面ファスナーでふたをすることで、使用中における石鹸の滑落が防止できる。なお、石鹸だけでなく、スポンジなどを入れることで、マッサージ効果が高まる。
【００１０】
さらに、面ファスナーを用いることで、ポケット付タオルの表面に異物が発生しないので、身体を洗浄する際に異物が身体に当たらないため、身体の洗浄中に異物によるストレスを感じることがなくなる。
【考案を実施するための最良の形態】
【００１１】
本考案の実施の形態にかかわるポケット付タオルについて、添付図面に沿って、以下に詳細に説明する。
【００１２】
図１は本考案の実施の形態１におけるポケット付タオルの上面図、図２（ａ）は本考案の実施の形態１におけるポケット付タオルの斜視図、図２（ｂ）は図１のＡ−Ａ断面図、図２（ｃ）は図１のＢ−Ｂ断面図、図３は本考案の実施の形態２におけるポケット付タオルの上面図、図４（ａ）は本考案の実施の形態２におけるポケット付タオルの斜視図、図４（ｂ）は図３のＣ−Ｃ断面図、図４（ｃ）は図３のＤ−Ｄ断面図、図５は本考案の実施の形態３におけるポケット付タオルの上面図、図６（ａ）は本考案の実施の形態３におけるポケット付タオルの斜視図、図６（ｂ）は図５のＥ−Ｅ断面図、図６（ｃ）は図５のＦ−Ｆ断面図、図７は本考案の他の態様１にかかわる異なる形状のポケット部を用いたポケット付タオルの斜視図、図８は本考案の他の態様２にかかわる異なる形状のポケット部を用いたポケット付タオルの斜視図である。
【００１３】
実施の形態１
図１および図２（ａ）〜（ｃ）に示されるように、ポケット付タオル１は、タオル２、ポケット部３とからなり、タオル２の中央部に、一端に開口部４を有するポケット部３が糸５を介してタオル２に設けられている。また、前記開口部４は、前記タオル２とポケット部３が互いに対向する面にそれぞれ一対の面ファスナー６が貼着される。
【００１４】
なお、本考案において、タオルとはタオル地に限定されるものではなく、一般的な布帛であってもよい。これにより、現在用いられている種々の布製品を使用することができる。
【００１５】
図２（ａ）〜（ｃ）に示されるように、面ファスナー６は、フック部６ａとループ部６ｂとからなり、面ファスナー６により開口部４が開閉自在に設けられる。
【００１６】
実施の形態２
本実施の形態のポケット付タオル１は、実施の形態１のポケット付タオル１のポケット部３の互いに隣接する３辺に対応する周辺部領域がそれぞれ１８０度タオル２と対向する側に折り返された折り返し部７を有し、当該折り返し部７が対向するタオル２と糸５で縫合されているほかは実施の形態１のポケット付タオル１と同じ構成である。
【００１７】
図３および図４（ａ）〜（ｃ）に示されるように、折り返し部７がタオル２と糸５で縫合されているため、外部から糸５が見えないように形成される。これにより、糸５が外部との摩擦により磨耗することが防止できる。
【００１８】
実施の形態３
本実施の形態のポケット付タオル１は、実施の形態１のポケット付タオル１のポケット部３の互いに隣接する３辺が、糸５ではなく接合層８を介して接合されているほかは実施の形態１のポケット付タオル１と同様である。
【００１９】
図５および図６（ａ）〜（ｃ）に示されるように、本実施の形態では糸５が用いられておらず、たとえば両面テープや熱圧着等の方法を用いてポケット部３が設けられる（たとえば特開２００６−３２１８３１号公報参照）。この場合、ポケット部３が容易に設けられるほか、糸５を用いている場合と異なりほどけることがないので、より丈夫なポケット付タオルを製造できる。
【００２０】
なお、実施の形態１〜３におけるポケット部は、略四角形で示されているが、本考案はこれに限定されるものではなく、チューリップ、サクラ、ヒマワリ、ライオン、クジラ、ゾウ、ハート、月、星、太陽、日の丸、星条旗、流れ星および富士山などの一種または２種以上の組み合わせによって形成される形状であってもよい。これにより、性別、年齢などにより異なる趣向に合わせた製品を提供できる。例として、図７ではチューリップ柄、図８ではハート柄を示す。
【００２１】
なお、図７および図８に示されるように、本考案は、開口部４から石鹸屑９が挿入される。前記挿入された１または複数個の石鹸屑９を、ポケット部３の中に保持した状態で、ポケット付タオルをお湯に浸しもみほぐすことで、小さい石鹸屑９でも泡立たせることができる。さらには、ポケット部３に面ファスナー６が設けられているので、ポケット付タオル１の使用中に石鹸屑９が滑落することなく使用できる。
【図面の簡単な説明】
【００２２】
【図１】本考案の実施の形態１におけるポケット付タオルの上面図である。
【図２（ａ）】本考案の実施の形態１におけるポケット付タオルの斜視図である。
【図２（ｂ）】図１のＡ−Ａ断面図である。
【図２（ｃ）】図１のＢ−Ｂ断面図である。
【図３】本考案の実施の形態２におけるポケット付タオルの上面図である。
【図４（ａ）】本考案の実施の形態２におけるポケット付タオルの斜視図である。
【図４（ｂ）】図３のＣ−Ｃ断面図である。
【図４（ｃ）】図３のＤ−Ｄ断面図である。
【図５】本考案の実施の形態３におけるポケット付タオルの上面図である。
【図６（ａ）】本考案の実施の形態３におけるポケット付タオルの斜視図である。
【図６（ｂ）】図５のＥ−Ｅ断面図である。
【図６（ｃ）】図５のＦ−Ｆ断面図である。
【図７】本考案の他の態様１にかかわる異なる形状のポケット部を用いたポケット付タオルの斜視図である。
【図８】本考案の他の態様２にかかわる異なる形状のポケット部を用いたポケット付タオルの斜視図である。
【符号の説明】
【００２３】
１  ポケット付タオル
２  タオル
３  ポケット部
４  開口部
５  糸
６  面ファスナー
６ａ  フック部
６ｂ  ループ部
７  折り返し部
８  接合層
９  石鹸屑
【図１】
0003144542.tif 000003
【図２（ａ）】
0003144542.tif 000004
【図２（ｂ）】
0003144542.tif 000005
【図２（ｃ）】
0003144542.tif 000006
【図３】
0003144542.tif 000007
【図４（ａ）】
0003144542.tif 000008
【図４（ｂ）】
0003144542.tif 000009
【図４（ｃ）】
0003144542.tif 000010
【図５】
0003144542.tif 000011
【図６（ａ）】
0003144542.tif 000012
【図６（ｂ）】
0003144542.tif 000013
【図６（ｃ）】
0003144542.tif 000014
【図７】
0003144542.tif 000015
【図８】
0003144542.tif 000016